(57)【要約】      （修正有）【課題】媒体を支持面で支持して移動方向に移動する移動部において媒体を好適に支持させる。【解決手段】媒体Ｍを支持面８で支持して移動方向Ａに移動する移動部２と、移動部２に支持される媒体Ｍに印刷を行う印刷部７と、を有し、移動部２は、支持面８に電荷を付与可能な帯電部１３を有することを特徴とする印刷装置１。このような構成の印刷装置とすることによって、媒体Ｍを支持面８で支持して移動方向Ａに移動する移動部２において媒体Ｍを好適に支持させることが可能になる。【選択図】図６
2017159606.tif 000002
【特許請求の範囲】
【請求項１】
媒体を支持面で支持して移動方向に移動する移動部と、
前記移動部に支持される媒体に印刷を行う印刷部と、を有し、
前記移動部は、前記支持面に電荷を付与可能な帯電部を有することを特徴とする印刷装置。
【請求項２】
請求項１に記載の印刷装置において、
前記帯電部は、前記支持面の一部のみに電荷を付与可能であることを特徴とする印刷装置。
【請求項３】
請求項２に記載の印刷装置において、
前記帯電部は、前記支持面の縁部分に電荷を付与可能であることを特徴とする印刷装置。
【請求項４】
請求項２に記載の印刷装置において、
前記帯電部は、前記支持面における前記印刷部により印刷が行われる領域以外に電荷を付与可能であることを特徴とする印刷装置。
【請求項５】
請求項１から４のいずれか１項に記載の印刷装置において、
前記帯電部によって電荷が付与される前記支持面における帯電領域は、前記移動方向及び該移動方向と交差する交差方向に沿って複数に分割されることを特徴とする印刷装置。
【請求項６】
請求項５に記載の印刷装置において、
前記帯電部は、分割された前記帯電領域ごとに、電荷量及び電荷の極性の少なくとも一方を変更可能であることを特徴とする印刷装置。
【請求項７】
請求項６に記載の印刷装置において、
前記帯電部は、分割された前記帯電領域ごとに、正の電荷を付与する第１帯電部又は負の電荷を付与する第２帯電部を有することを特徴とする印刷装置。
【請求項８】
請求項７に記載の印刷装置において、
前記帯電部は、前記第１帯電部と前記第２帯電部とが前記移動方向及び前記交差方向に沿って互い違いに配置されることを特徴とする印刷装置。
【発明の詳細な説明】
【技術分野】
【０００１】
本発明は、印刷装置に関する。
【背景技術】
【０００２】
従来から、様々な印刷装置が使用されている。このような印刷装置のうち、媒体支持ユニット（移動部）の支持面に媒体を支持させ、印刷部に対して媒体支持ユニットを移動させながら印刷する構成の印刷装置が使用されている。  
例えば、特許文献１には、媒体支持ユニットとしてのプラテン装置に媒体を支持させ、印刷部としての印字ヘッドに対してプラテン装置を移動させながら印刷する構成のインクジェットプリンタ（印刷装置）が開示されている。このとき、プラテン（支持面）で支持した媒体は、枠で押さえる構成となっている。
【先行技術文献】
【特許文献】
【０００３】
【特許文献１】特開２００３−３１２０６９号公報
【発明の概要】
【発明が解決しようとする課題】
【０００４】
しかしながら、近年、様々な種類の媒体が使用されるようになってきており、媒体を支持面で支持して移動方向に移動する媒体支持ユニット（移動部）を備える印刷装置において、該媒体支持ユニットの構成によっては、媒体を好適に支持させることが困難な場合があった。例えば、媒体支持ユニットにおいて、媒体を押さえるための枠を設けない構成とした場合は、媒体を好適に支持することができなかった。
【０００５】
そこで、本発明の目的は、媒体を支持面で支持して移動方向に移動する移動部において媒体を好適に支持させることを目的にする。
【課題を解決するための手段】
【０００６】
上記課題を解決するための本発明の第１の態様の印刷装置は、媒体を支持面で支持して移動方向に移動する移動部と、前記移動部に支持される媒体に印刷を行う印刷部と、を有し、前記移動部は、前記支持面に電荷を付与可能な帯電部を有することを特徴とする。
【０００７】
本態様によれば、移動部は支持面に電荷を付与可能な帯電部を有する。このため、媒体を支持面に確りと静電吸着させることができる。すなわち、媒体を押さえるための部材を別途設けることなく、好適に支持面で媒体を支持することができる。また、媒体を支持面に対して移動（スライド）させる構成の印刷装置においては、媒体を支持面に確りと静電吸着させると媒体が支持面に対して引っ掛かるということが考えられる。しかしながら、本態様によれば、媒体を支持面で支持して移動方向に移動する移動部を備える構成であるので、媒体を支持面に対して移動（スライド）させる必要が無く、媒体が支持面に対して引っ掛かるということも抑制できる。したがって、媒体を好適に支持させることができる。
【０００８】
本発明の第２の態様の印刷装置は、前記第１の態様において、前記帯電部は、前記支持面の一部のみに電荷を付与可能であることを特徴とする。
【０００９】
本態様によれば、帯電部は支持面の一部のみに電荷を付与可能である。このため、支持面の必要な位置のみを帯電させることが可能になり、媒体を支持面へセットする際の作業性を向上できるとともに、消費電力を抑制できる。  
なお、「帯電部は支持面の一部のみに電荷を付与可能」とは、支持面の一部のみに帯電部が形成されている構成、支持面の略全域に帯電部が形成されており帯電領域を変更できる構成、の何れであってもよい。
【００１０】
本発明の第３の態様の印刷装置は、前記第２の態様において、前記帯電部は、前記支持面の縁部分に電荷を付与可能であることを特徴とする。
【００１１】
本態様によれば、帯電部は支持面の縁部分に電荷を付与可能である。支持面の縁部分に電荷を付与可能であれば、支持面に支持された媒体を周囲から静電吸着させることができ、確りと媒体を固定できる。さらに、媒体を支持面へセットする際の作業性を向上できるとともに、消費電力を抑制できる。
【００１２】
本発明の第４の態様の印刷装置は、前記第２の態様において、前記帯電部は、前記支持面における前記印刷部により印刷が行われる領域以外に電荷を付与可能であることを特徴とする。
【００１３】
本態様によれば、帯電部は支持面における印刷部により印刷が行われる領域以外に電荷を付与可能である。印刷が行われる領域に電荷を付与すると該電荷の影響によりインクの付着位置がずれる等して印刷品質が低下することが考えられるが、印刷が行われる領域以外に電荷を付与することで印刷品質の低下を抑制できる。
【００１４】
本発明の第５の態様の印刷装置は、前記第１から第４のいずれか１つの態様において、前記帯電部によって電荷が付与される前記支持面における帯電領域は、前記移動方向及び該移動方向と交差する交差方向に沿って複数に分割されることを特徴とする。
【００１５】
本態様によれば、帯電部によって電荷が付与される支持面における帯電領域は、移動方向及び交差方向に沿って複数に分割される。このため、分割された帯電領域を必要に応じて個々に帯電状態を変更することができる。
【００１６】
本発明の第６の態様の印刷装置は、前記第５の態様において、前記帯電部は、分割された前記帯電領域ごとに、電荷量及び電荷の極性の少なくとも一方を変更可能であることを特徴とする。
【００１７】
本態様によれば、帯電部は、分割された帯電領域ごとに、電荷量及び電荷の極性の少なくとも一方を変更可能である。このため、電荷量及び電荷の極性の少なくとも一方を変更することで、分割された帯電領域ごとに必要に応じて詳細に帯電状態を変更することができる。
【００１８】
本発明の第７の態様の印刷装置は、前記第６の態様において、前記帯電部は、分割された前記帯電領域ごとに、正の電荷を付与する第１帯電部又は負の電荷を付与する第２帯電部を有することを特徴とする。
【００１９】
本態様によれば、帯電部は、分割された帯電領域ごとに、正の電荷を付与する第１帯電部又は負の電荷を付与する第２帯電部を有する。このため、使用する媒体の正又は負への帯電しやすさに応じて、簡単に、支持面の帯電状態を正又は負に切り替えることができる。
【００２０】
本発明の第８の態様の印刷装置は、前記第７の態様において、前記帯電部は、前記第１帯電部と前記第２帯電部とが前記移動方向及び前記交差方向に沿って互い違いに配置されることを特徴とする。
【００２１】
本態様によれば、帯電部は、第１帯電部と第２帯電部とが移動方向及び交差方向に沿って互い違いに配置される。このため、使用する媒体の正又は負への帯電しやすさに応じて支持面の帯電状態を正又は負に切り替える際において支持面の帯電状態を正又は負の何れに切り替えた場合でも確り媒体を固定することができる。
【図面の簡単な説明】
【００２２】
【図１】本発明の実施例１に係る印刷装置を表す概略斜視図。
【図２】本発明の実施例１に係る印刷装置を表す概略正面図。
【図３】本発明の実施例１に係る印刷装置を表す概略平面図。
【図４】本発明の実施例１に係る印刷装置のブロック図。
【図５】本発明の実施例１に係る印刷装置の要部を表す概略平面透視図。
【図６】本発明の実施例１に係る印刷装置の要部を表す概略側面断面図。
【図７】本発明の実施例１に係る印刷装置の要部を表す概略平面透視図。
【図８】本発明の実施例１に係る印刷装置の要部を表す概略平面透視図。
【図９】本発明の実施例１に係る印刷装置の要部を表す概略平面透視図。
【図１０】本発明の実施例２に係る印刷装置の要部を表す概略平面透視図。
【図１１】本発明の実施例３に係る印刷装置の要部を表す概略平面図。
【発明を実施するための形態】
【００２３】
以下に、本発明の一実施例に係る印刷装置１について、添付図面を参照して詳細に説明する。  
［実施例１］（図１〜図９）  
図１は本実施例に係る印刷装置１の概略斜視図であり、媒体支持ユニット２が印刷開始位置にある状態を表している。また、図２は本実施例の印刷装置１の概略正面図である。そして、図３は本実施例の印刷装置１の概略平面図であり、媒体支持ユニット２が媒体Ｍ（図６から図９参照）のセット位置にある状態を表している。なお、図１から図３のいずれも、一部の構成部材を簡略化して表している。
【００２４】
本実施例の印刷装置１は、媒体Ｍを支持部としてのトレイ４の支持面８で支持した状態で移動方向Ａに移動する移動部としての媒体支持ユニット２を備えている。また、印刷装置１は、トレイ４に支持された媒体を移動方向Ａに搬送する媒体搬送部３を備えている。移動方向Ａは、方向Ａ１と、方向Ａ１と反対方向の方向Ａ２と、を含む方向である。また、トレイ４はステージ５に着脱可能に載置されている。ここで、トレイ４のステージ５に対する着脱方向Ｃは、本実施例の印刷装置１では鉛直方向である。トレイ４はステージ５と共に、レバー９を回転させることにより、着脱方向Ｃに沿う方向（鉛直方向）に移動する。なお、図２で表されるように、レバー９は、アーム部１１に設けられている。また、媒体Ｍとしては、テキスタイル（織物、布等）、紙、塩化ビニル樹脂など、種々の素材のものを用いることができる。
【００２５】
なお、詳細は後述するが、本実施例のトレイ４には、支持面８を帯電させることが可能な帯電部１３が設けられている（図５及び図６参照）。帯電部１３が支持面８を帯電させることにより、本実施例の媒体支持ユニット２は、媒体Ｍを支持面８に静電吸着させることが可能な構成になっている。
【００２６】
また、印刷装置１の本体内部にはインクを吐出して媒体Ｍに印刷することが可能な印刷ヘッド７が備えられている。そして、本実施例の印刷装置１は、印刷ヘッド７が設けられたキャリッジ６を移動方向Ａと交差する走査方向Ｂに往復移動させることで、印刷ヘッド７を走査方向Ｂに往復移動させながら、印刷ヘッド７からトレイ４に支持された媒体Ｍにインクを吐出させて所望の画像を形成する。  
なお、本実施例の印刷装置１は、図１の手前側（左下方向）がトレイ４への媒体Ｍのセット位置である（図３参照）。そして、図１の奥側（右上方向）の印刷開始位置まで移動方向Ａのうちの方向Ａ１に媒体Ｍをセットしたトレイ４を移動した後、移動方向Ａのうちの方向Ａ２にトレイ４を移動しながら印刷する。
【００２７】
なお、本実施例の印刷装置１は、走査方向Ｂに往復移動しながら印刷する印刷ヘッド７を備えているが、インクを吐出するノズルを媒体Ｍの移動方向と交差する交差方向に複数設けた所謂ラインヘッドを備える印刷装置でもよい。  
ここで、「ラインヘッド」とは、媒体Ｍの移動方向と交差する交差方向に形成されたノズルの領域が、該交差方向全体をカバー可能なように設けられ、印刷ヘッド又は媒体Ｍを相対的に移動させて画像を形成する印刷装置に用いられる印刷ヘッドである。なお、ラインヘッドの該交差方向のノズルの領域は、印刷装置が対応している全ての媒体Ｍの該交差方向をカバー可能でなくてもよい。  
また、本実施例の印刷ヘッド７は、媒体Ｍにインクを吐出することで印刷可能な印刷部であるが、このような印刷部に限定されず、例えば、色材を媒体Ｍに転写して印刷する転写式の印刷部を使用してもよい。
【００２８】
次に、本実施例の印刷装置１における電気的な構成について説明する。  
図４は、本実施例の印刷装置１のブロック図である。  
制御部１９には、印刷装置１の全体の制御を司るＣＰＵ２０が設けられている。ＣＰＵ２０は、システムバス２１を介して、ＣＰＵ２０が実行する各種制御プログラム等を格納したＲＯＭ２２と、データを一時的に格納可能なＲＡＭ２３と、に接続されている。
【００２９】
また、ＣＰＵ２０は、システムバス２１を介して、印刷ヘッド７を駆動するためのヘッド駆動部２４と接続されている。  
また、ＣＰＵ２０は、システムバス２１を介して、モーター駆動部２５と接続されている。そして、モーター駆動部２５は、印刷ヘッド７が設けられたキャリッジ６を移動させるためのキャリッジモーター２６、媒体Ｍを搬送する（すなわち、媒体支持ユニット２を移動する）ために媒体搬送部３に設けられた搬送モーター２７、と接続されている。  
さらに、ＣＰＵ２０は、システムバス２１を介して、入出力部２８と接続されている。そして、入出力部２８は、帯電部１３、印刷データ等のデータ及び信号の送受信を行うためのＰＣ２９、と接続されている。
【００３０】
次に、本実施例の印刷装置１の要部である媒体支持ユニット２について説明する。  
図５は、本実施例の印刷装置１の媒体支持ユニット２のトレイ４の概略平面透視図である。また、図６は、本実施例の印刷装置１における媒体支持ユニット２の周辺部分を含む概略側面断面図であり、媒体Ｍが媒体支持ユニット２にセットされた状態を表している。なお、図６では、帯電部１３の構造など、媒体支持ユニット２の構造を簡略化して表している。そして、図７から図９は、トレイ４の支持面８に媒体Ｍを支持させた状態を表す概略平面透視図である。
【００３１】
図５及び図６で表されるように、本実施例のトレイ４の内部には帯電部１３が形成されている。ここで、図５で表されるように、本実施例の支持面８は領域Ｒ１から領域Ｒ１６の１６個の領域に分割されている。具体的には、支持面８は、移動方向Ａに沿って４個の領域、走査方向Ｂに沿って４個の領域に分割されており、合計で１６個の領域に分割されている。帯電部１３は、領域Ｒ１から領域Ｒ１６の各々の領域に形成されている。このような構成により、本実施例の印刷装置１は、領域Ｒ１から領域Ｒ１６の各々の領域において、対応する帯電部１３をオン・オフすることにより、該各々の領域において媒体Ｍの静電吸着のオン・オフをすることが可能である。なお、各々の領域における帯電部１３のオン・オフは、制御部１９の制御により行われる。また、本実施例の帯電部１３は電極で構成されており、該電極に印加する電圧を制御部１９が調整することで媒体Ｍを静電吸着させる強さを可変である。
【００３２】
上記についてまとめると、本実施例の印刷装置１は、媒体Ｍを支持面８で支持して移動方向Ａに移動する媒体支持ユニット２と、媒体支持ユニット２に支持される媒体Ｍに印刷を行う印刷ヘッド７と、を有し、媒体支持ユニット２は、支持面８に電荷を付与可能な帯電部１３を有している。このため、媒体Ｍを支持面８に確りと静電吸着させることができる。すなわち、媒体Ｍを押さえるための部材を別途設けることなく、好適に支持面８で媒体Ｍを支持することができる。  
なお、媒体Ｍを支持面８に対して移動（スライド）させる構成の印刷装置においては、媒体Ｍを支持面に確りと静電吸着させると媒体Ｍが支持面８に対して引っ掛かるということが考えられる。しかしながら、本実施例の印刷装置１は、媒体Ｍを支持面８で支持して移動方向Ａに移動する媒体支持ユニット２を備える構成であるので、媒体Ｍを支持面８に対して移動（スライド）させる必要が無く、媒体Ｍが支持面８に対して引っ掛かるということも抑制できる。  
したがって、本実施例の印刷装置１は、媒体Ｍを好適に支持させることができる構成になっている。
【００３３】
なお、本実施例の印刷装置１は、領域Ｒ１から領域Ｒ１６の全領域の帯電部１３をオンすることにより、支持面８の全域を帯電させる（電荷を付与させる）ことが可能な構成になっている。ここで、図７から図９において、支持面８において斜線が引かれた領域は帯電された領域（電荷が付与された領域）を表している。すなわち、図７は、領域Ｒ１から領域Ｒ１６の全領域に斜線が引かれており、該全領域で媒体Ｍが支持面８に静電吸着されている状態を表している。
【００３４】
一方、図８及び図９で表されるように、本実施例の印刷装置１は、支持面８の一部の領域を帯電させる（電荷を付与させる）ことも可能な構成になっている。  
別の表現をすると、本実施例の帯電部１３は支持面８の一部のみに電荷を付与可能である。このため、本実施例の印刷装置１は、支持面８の必要な位置のみを帯電させることが可能であり、媒体Ｍを支持面８へセットする際の作業性を向上できるとともに、消費電力を抑制できる。  
なお、「帯電部１３は支持面８の一部のみに電荷を付与可能」とは、本実施例の印刷装置１のように支持面８の略全域に帯電部１３が形成されており帯電領域を変更できる構成に限定されず、支持面８の一部のみに帯電部が形成されている構成であってもよい。
【００３５】
例えば、本実施例の印刷装置１においては、図８で表されるように、帯電部１３は支持面８の縁部分１２（すなわち、領域Ｒ１、Ｒ２、Ｒ３、Ｒ４、Ｒ５、Ｒ８、Ｒ９、Ｒ１２、Ｒ１３、Ｒ１４、Ｒ１５及びＲ１６）に電荷を付与可能である。  
支持面８の縁部分１２に電荷を付与可能であれば、支持面８に支持された媒体Ｍを周囲から静電吸着させることができ、確りと媒体Ｍを固定できる。さらに、媒体Ｍを支持面８へセットする際の作業性を向上できるとともに、消費電力を抑制できる。  
なお、媒体Ｍを支持面８へセットする際、支持面８へセットされた媒体Ｍの皺を取るために媒体Ｍを外側に引っ張ることが一般的に行われるが、その際、支持面８の中央部分の静電吸着をオフにすることで作業性が向上する。  
ここで、「縁部分」とは、支持面８の端部付近であればよい意味である。
【００３６】
また、別の例として、本実施例の印刷装置１においては、図９で表されるように、帯電部１３は支持面８における画像Ｉの形成領域１６（すなわち、印刷ヘッド７により印刷が行われる領域Ｒ７）以外に電荷を付与可能である。  
印刷が行われる領域Ｒ７に電荷を付与すると該電荷の影響によりインクの付着位置がずれる等して印刷品質が低下することが考えられる。支持面８へセットされた媒体Ｍの画像Ｉの形成領域１６に、帯電部１３により付加された電荷によるクーロン力が及び、印刷ヘッド７から吐出されたインクの着弾位置がずれることや、印刷ヘッド７から吐出されたインクが媒体Ｍに着弾できずミスト化することが考えられるためである。しかしながら、本実施例の印刷装置１は、印刷が行われる領域Ｒ７以外に電荷を付与することで印刷品質の低下を抑制できる。
【００３７】
なお、本実施例の印刷装置１は、制御部１９の制御により支持面８の全域又は一部の領域を帯電させる構成である。ただし、このような構成に限定されず、例えば、トレイ４に領域Ｒ１から領域Ｒ１６に対応するスイッチを設け、ユーザーが手動で各スイッチのオン・オフをすることにより支持面８の全域又は一部の領域を帯電可能な構成としてもよい。
【００３８】
［実施例２］（図１０）  
次に、実施例２の印刷装置１について、添付図面を参照して詳細に説明する。  
図１０は、実施例２の印刷装置１のトレイ４の概略平面透視図を表しており、実施例１の印刷装置１の図５に対応する図である。  
なお、本実施例の印刷装置１は、トレイ４の構成以外は実施例１の印刷装置１と同様の構成であり、実施例１の印刷装置１と同じ構成部材は同じ符号で表している。
【００３９】
実施例１のトレイ４は、支持面８の全域に帯電部１３が形成されており、帯電領域を変更することにより、支持面８の全域だけでなく一部の領域のみにも電荷を付与可能な構成であった。  
一方、本実施例のトレイ４は、支持面８の一部の領域のみに帯電部が形成されている。具体的には、図１０で表されるように、帯電部１３が領域Ｒ１、Ｒ２、Ｒ３、Ｒ４、Ｒ５、Ｒ８、Ｒ９、Ｒ１２、Ｒ１３、Ｒ１４、Ｒ１５及びＲ１６にのみ設けられ、領域Ｒ６、Ｒ７、Ｒ１０及びＲ１１には設けられていない。したがって、本実施例の印刷装置１は、実施例１の印刷装置１と同様、支持面８の縁部分１２に電荷を付与可能である。このため、支持面８に支持された媒体Ｍを周囲から静電吸着させることで確りと媒体Ｍを固定できる。また、媒体Ｍを支持面８へセットする際の作業性を向上でき、消費電力を抑制できる。そのうえ、トレイ４の構成及び帯電部１３の制御を簡単にすることができている。  
なお、本実施例の印刷装置１は、支持面８の縁部分１２のみに電荷を付与可能な構成であったが、支持面８の縁部分１２以外の領域（支持面８の中央部分）のみに電荷を付与可能な構成としてもよい。このような構成であれば、使用する媒体Ｍが小さい場合でも、好適に、該媒体Ｍを支持面８に対して静電吸着させることができる。
【００４０】
［実施例３］（図１１）  
次に、実施例３の印刷装置１について、添付図面を参照して詳細に説明する。  
図１１は、実施例３の印刷装置１のトレイ４の概略平面図を表している。  
なお、本実施例の印刷装置１は、トレイ４の構成以外は実施例１及び２の印刷装置１と同様の構成であり、実施例１及び２の印刷装置１と同じ構成部材は同じ符号で表している。
【００４１】
実施例１及び２の印刷装置１と同様、本実施例の印刷装置１は、帯電部１３によって電荷が付与される支持面８における帯電領域は、移動方向Ａ及び該移動方向Ａと交差する交差方向である走査方向Ｂに沿って複数に（領域Ｒ１７から領域Ｒ８０に）分割されている。具体的には、支持面８における帯電領域は、移動方向Ａに沿って８個の領域、走査方向Ｂに沿って８個の領域に分割されている。つまり、支持面８における帯電領域は、合計で６４個の領域に分割されている。このため、実施例１及び２の印刷装置１と同様、本実施例の印刷装置１は、分割された帯電領域を必要に応じて個々に帯電状態を変更することができる。
【００４２】
ここで、本実施例の印刷装置１は、分割された帯電領域ごとに正と負とに帯電させることが可能である。図１１では、分割された帯電領域ごとの帯電可能な極性（付与する電荷の極性）を概念的に表しており、領域Ｒ１７から領域Ｒ８０のうちの正に帯電可能な領域を「＋」で表しており、領域Ｒ１７から領域Ｒ８０のうちの負に帯電可能な領域を「−」で表している。  
別の表現をすると、本実施例の印刷装置１における帯電部１３は、分割された帯電領域ごとに、正の電荷を付与する第１帯電部１４又は負の電荷を付与する第２帯電部１５を有している。すなわち、領域Ｒ１７から領域Ｒ８０のうちの正に帯電可能な領域には第１帯電部１４が設けられ、領域Ｒ１７から領域Ｒ８０のうちの負に帯電可能な領域には第２帯電部１５が設けられている。このため、本実施例の印刷装置１は、使用する媒体Ｍの正又は負への帯電しやすさに応じて、簡単に、支持面８の帯電状態を正又は負に切り替える（第１帯電部１４をオンにし第２帯電部１５をオフにすることと、第２帯電部１５をオンにし第１帯電部１４をオフにすることとを切り替える）ことができる。  
なお、本実施例の印刷装置１で使用可能な媒体Ｍは、様々な種類があり、正に帯電しやすい媒体（羊毛など）及び負に帯電しやすい媒体（塩化ビニルなど）の両方がある。本実施例の印刷装置１のように、帯電部１３が正の電荷を付与する第１帯電部１４と負の電荷を付与する第２帯電部１５とを有していれば、正に帯電しやすい媒体及び負に帯電しやすい媒体の両方を支持面８に対して静電吸着させることができる。
【００４３】
なお、本実施例の印刷装置１は、分割された帯電領域ごとに正の電荷を付与する第１帯電部１４又は負の電荷を付与する第２帯電部１５を有しているが、このような構成に限定されない。例えば、帯電部１３が、分割された帯電領域ごとに、電荷量を変更可能な構成としてもよい。帯電部１３が、分割された帯電領域ごとに、電荷量及び電荷の極性の少なくとも一方を変更可能であれば、電荷量及び電荷の極性の少なくとも一方を変更することで、分割された帯電領域ごとに必要に応じて詳細に帯電状態を変更することができるためである。
【００４４】
また、本実施例の印刷装置１においては、帯電部１３は、第１帯電部１４と第２帯電部１５とが移動方向Ａ及び交差方向（走査方向Ｂ）に沿って互い違いに配置されている。このため、使用する媒体Ｍの正又は負への帯電しやすさに応じて支持面８の帯電状態を正又は負に切り替える際において、支持面８の状態を正又は負の何れに切り替えた場合でも確り媒体Ｍを固定することができる。  
ただし、このような構成に限定されない。例えば、第１帯電部１４と第２帯電部１５とが同心円状に交互に配置する構成などとしてもよい。
【００４５】
なお、本発明は上記実施例に限定されることなく、特許請求の範囲に記載した発明の範囲内で種々の変形が可能であり、それらも本発明の範囲内に含まれることは言うまでもない。
【符号の説明】
【００４６】
１…印刷装置、２…媒体支持ユニット（移動部）、３…媒体搬送部、４…トレイ、
５…ステージ、６…キャリッジ、７…印刷ヘッド（印刷部）、８…支持面、９…レバー、
１１…アーム部、１２…支持面８の縁部分、１３…帯電部、１４…第１帯電部、
１５…第２帯電部、１６…支持面８における画像Ｉの形成領域、１９…制御部、
２０…ＣＰＵ、２１…システムバス、２２…ＲＯＭ、２３…ＲＡＭ、
２４…ヘッド駆動部、２５…モーター駆動部、２６…キャリッジモーター、
２７…搬送モーター、２８…入出力部、２９…ＰＣ、Ｍ…媒体、
Ｒ１〜Ｒ８０…支持面８の分割された領域
【図１】
2017159606.tif 000003
【図２】
2017159606.tif 000004
【図３】
2017159606.tif 000005
【図４】
2017159606.tif 000006
【図５】
2017159606.tif 000007
【図６】
2017159606.tif 000008
【図７】
2017159606.tif 000009
【図８】
2017159606.tif 000010
【図９】
2017159606.tif 000011
【図１０】
2017159606.tif 000012
【図１１】
2017159606.tif 000013